(57)【要約】【課題】ＣＡの実行時に端末に払い出されるべきＣ−ＲＮＴＩ番号の枯渇を回避すること。【解決手段】通信システムは、基地局と、端末とを含む。基地局は、第１の払出部と、第２の払出部とを備える。第１の払出部は、端末との間で当該基地局の全セルのうちいずれか一つのセルを用いた第１の通信が行われる場合に、端末を識別するための所定数の識別番号から、全セルの各々に固有の識別番号である第１の識別番号を端末に払い出す。第２の払出部は、端末との間で全セルのうち２つ以上のセルを同時に用いた第２の通信が行われる場合に、第１の識別番号を除く所定数の識別番号から、２つ以上のセルに共通する識別番号である第２の識別番号を端末に払い出す。端末は、通信制御部を備える。通信制御部は、基地局から払い出される第１の識別番号又は第２の識別番号を用いて、第１の通信又は第２の通信を行う。【選択図】図１
2015233247.tif 000002
【特許請求の範囲】
【請求項１】
基地局と、端末とを含む通信システムであって、
前記基地局は、
前記端末との間で当該基地局の全セルのうちいずれか一つのセルを用いた第１の通信が行われる場合に、前記端末を識別するための所定数の識別番号から、前記全セルの各々に固有の識別番号である第１の識別番号を前記端末に払い出す第１の払出部と、
前記端末との間で前記全セルのうち２つ以上のセルを同時に用いた第２の通信が行われる場合に、前記第１の識別番号を除く前記所定数の識別番号から、前記２つ以上のセルに共通する識別番号である第２の識別番号を前記端末に払い出す第２の払出部と
を備え、
前記端末は、
前記基地局から払い出される前記第１の識別番号又は前記第２の識別番号を用いて、前記第１の通信又は前記第２の通信を行う通信制御部を備えたことを特徴とする通信システム。
【請求項２】
前記所定数の識別番号は、前記第１の識別番号を含む複数の識別番号である第１の識別番号群と、前記第２の識別番号を含む複数の識別番号である第２の識別番号群とに予め区分され、
前記基地局は、前記第１の識別番号群を記憶する第１の記憶部と、前記第２の識別番号群を記憶する第２の記憶部とをさらに備え、
前記第１の払出部は、前記第１の通信が行われる場合に、前記第１の記憶部に記憶された前記第１の識別番号群から、前記第１の識別番号を前記端末に払い出し、
前記第２の払出部は、前記第２の通信が行われる場合に、前記第２の記憶部に記憶された前記第２の識別番号群から、前記第２の識別番号を前記端末に払い出すことを特徴とする請求項１に記載の通信システム。
【請求項３】
前記基地局は、前記所定数の識別番号を記憶する第１及び第２の記憶部をさらに備え、
前記第１の払出部は、前記第１の通信が行われる場合に、前記第１の記憶部に記憶された前記所定数の識別番号から、昇順で前記第１の識別番号を前記端末に払い出し、
前記第２の払出部は、前記第２の通信が行われる場合に、前記第２の記憶部に記憶された前記所定数の識別番号のうち前記第１の払出部により前記第１の識別番号として払い出されていない識別番号から、降順で前記第２の識別番号を前記端末に払い出すことを特徴とする請求項１に記載の通信システム。
【請求項４】
前記第２の払出部は、前記第２の記憶部に記憶された前記所定数の識別番号のうち前記第１の識別番号として払い出されていない前記所定数の識別番号が存在しない場合に、前記２の識別番号の払い出しを中止し、
前記通信制御部は、前記第２の識別番号の払い出しが中止された場合に、前記第１の識別番号を用いて、前記第１の通信を継続することを特徴とする請求項３に記載の通信システム。
【請求項５】
前記基地局は、前記所定数の識別番号が所定数のブロックに区分されて得られる複数の識別番号ブロックの各々に対応付けて、該複数の識別番号ブロックの各々に属する識別番号を記憶する第１及び第２の記憶部をさらに備え、
前記第１の払出部は、前記第１の通信が行われる場合に、前記第１の記憶部に記憶された前記複数の識別番号ブロックから、昇順で識別番号ブロックを選択し、選択した識別番号ブロックから前記第１の識別番号を前記端末に払い出し、
前記第２の払出部は、前記第２の通信が行われる場合に、前記第２の記憶部に記憶された前記複数の識別番号ブロックのうち前記第１の払出部により選択されていない識別番号ブロックから、前記第２の識別番号を前記端末に払い出すことを特徴とする請求項１に記載の通信システム。
【請求項６】
前記第１の払出部は、前記第１の識別番号を前記端末に払い出した後に、前記第１の記憶部に記憶された前記複数の識別番号ブロックの各々に属する識別番号のうち前記第１の識別番号として払い出されていない識別番号の合計数が閾値以下となった場合に、前記第２の記憶部に記憶された前記複数の識別番号ブロックのうち未使用の識別番号ブロックの提供を前記第２の払出部に要求し、
前記第２の払出部は、前記第１の払出部からの要求に応じて、前記未使用の識別番号ブロックを前記第１の払出部に提供することを特徴とする請求項５に記載の通信システム。
【請求項７】
前記第１の払出部は、前記第１の識別番号を前記端末に払い出した後に、前記第１の記憶部に記憶された前記複数の識別番号ブロックの中に、未払出しの識別番号のみを含む識別番号ブロックが存在し、かつ、他の識別番号ブロックの各々に属する識別番号のうち前記第１の識別番号として払い出されていない識別番号の合計数が閾値以上となった場合に、前記未払出しの識別番号のみを含む識別番号ブロックを前記第２の払出部に返却することを特徴とする請求項６に記載の通信システム。
【請求項８】
前記第１の通信に用いられる前記第１の識別番号と、前記第２の通信に用いられる前記第２の識別番号との不一致が許容されない旨が予め規定され、
前記第１の払出部は、前記第１の通信が行われる場合に、前記第１の記憶部に記憶された前記複数の識別番号ブロックから、前記第１の通信に用いられる前記一つのセルと、前記一つのセルとは異なる他のセルとの間で異なる識別番号ブロックを選択し、選択した識別番号ブロックから前記第１の識別番号を前記端末に払い出し、
前記第２の払出部は、前記第２の通信が行われる場合に、前記第２の識別番号の払い出しを中止し、
前記通信制御部は、前記第２の通信を行う場合に、前記第１の識別番号を前記第２の識別番号として継続的に用いて、前記第２の通信を行うことを特徴とする請求項５〜７のいずれか一つに記載の通信システム。
【請求項９】
前記全セルは、前記第２の通信に用いられる前記２つ以上のセルが属する複数のグループに予め区分され、
前記第２の払出部は、前記第２の通信が行われる場合に、前記第１の識別番号を除く前記所定数の識別番号から、前記複数のグループの各々に属する前記２つ以上のセルに共通する前記第２の識別番号を前記端末に払い出すことを特徴とする請求項１〜８のいずれか一つに記載の通信システム。
【請求項１０】
端末が当該基地局の全セルのうちいずれか一つのセルを用いた第１の通信を行う場合に、前記端末を識別するための所定数の識別番号から、前記全セルの各々に固有の識別番号である前記第１の識別番号を前記端末に払い出す第１の払出部と、
前記端末が前記全セルのうち２つ以上のセルを同時に用いた第２の通信を行う場合に、前記第１の識別番号を除く前記所定数の識別番号から、前記２つ以上のセルに共通する識別番号である第２の識別番号を前記端末に払い出す第２の払出部と
を備えたことを特徴とする基地局。
【発明の詳細な説明】
【技術分野】
【０００１】
本発明は、通信システム及び基地局に関する。
【背景技術】
【０００２】
３ＧＰＰ  ＬＴＥ（3rd  Generation  Partnership  Project  Radio  Access  Network  Long  Term  Evolution）−Ａｄｖａｎｃｅｄでは、広帯域化を図るため、キャリアアグリゲーション（Carrier  Aggregation：ＣＡ）という技術が検討されている。ＣＡは、互いに異なる複数の周波数帯域を利用可能にする通信技術である。ここで、１つの周波数帯域を利用して通信を行う通信エリアは、セル（Ｃｅｌｌ）と呼ばれる。このため、ＣＡは、基地局の全セルのうち２つ以上のセルを同時に用いた通信技術であると言うこともできる。
【０００３】
ＣＡが行われる場合、基地局の全セルに含まれる２つ以上のセルに１つの端末が所属する。この場合、基地局は、端末を識別するための所定数の識別番号から、２つ以上のセルに共通する識別番号を端末に払い出す。そして、端末は、基地局から払い出される識別番号を用いて、２つ以上のセルを用いた通信を行う。ここで、３ＧＰＰでは、端末を識別するための識別番号は、Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）番号と呼ばれる。３ＧＰＰにより定義されているＣ−ＲＮＴＩ番号の範囲は、１〜６５５３５の範囲である。なお、ＣＡ時にＣ−ＲＮＴＩを払い出す技術を提案する文献として、特許文献１がある。
【先行技術文献】
【特許文献】
【０００４】
【特許文献１】特表２０１３−５０９０５５号公報
【発明の概要】
【発明が解決しようとする課題】
【０００５】
ＣＡ以外の通信が行われる場合、基地局の全セルのうちいずれか一つのセルに１つの端末が所属する。すると、基地局は、所定数のＣ−ＲＮＴＩ番号から任意のＣ−ＲＮＴＩ番号を端末に払い出す。この任意のＣ−ＲＮＴＩ番号は、セル毎に独立して払い出される。このため、ＣＡ以外の通信が行われた後にＣＡが行われる場合、端末に払い出されるべきＣ−ＲＮＴＩ番号どうしの競合が発生する可能性がある。
【０００６】
この点、Ｃ−ＲＮＴＩ番号が基地局の全セルの各々において重複しないように、所定数のＣ−ＲＮＴＩをセル毎に分割し、分割により得られるＣ−ＲＮＴＩの範囲をセル間でずらして、各セルに対応するＣ−ＲＮＴＩの範囲を固定する手法が考えられる。しかしながら、この手法では、１セル当たりのＣ−ＲＮＴＩ番号の範囲が固定されるため、基地局の全セルの数に依っては、１セル当たりのＣ−ＲＮＴＩ番号が不足する恐れがある。結果として、端末に払い出されるべきＣ−ＲＮＴＩ番号が枯渇する恐れがある。各セルに対応するＣ−ＲＮＴＩの範囲を固定する手法におけるＣ−ＲＮＴＩ番号の枯渇は、以下の前提が存在する場合に、発生すると言うこともできる。
・Ｃ−ＲＮＴＩ番号を払いだす機能部がセル毎にある。
・各セルの払い出し部が、分割されたＣ−ＲＮＴＩ番号の範囲でＣ−ＲＮＴＩ番号を払い出す。
・各セルで払い出されたＣ−ＲＮＴＩ番号は、ＣＡ実施時に他のセルを用いた通信が行われる場合も、同様に使用される。
【０００７】
開示の技術は、上記に鑑みてなされたものであって、ＣＡの実行時に端末に払い出されるべきＣ−ＲＮＴＩ番号の枯渇を回避することができる通信システム及び基地局を提供することを目的とする。
【課題を解決するための手段】
【０００８】
本願の開示する通信システムは、一つの態様において、基地局と、端末とを含む。基地局は、第１の払出部と、第２の払出部とを備える。第１の払出部は、前記端末との間で当該基地局の全セルのうちいずれか一つのセルを用いた第１の通信が行われる場合に、前記端末を識別するための所定数の識別番号から、前記全セルの各々に固有の識別番号である第１の識別番号を前記端末に払い出す。第２の払出部は、前記端末との間で前記全セルのうち２つ以上のセルを同時に用いた第２の通信が行われる場合に、前記第１の識別番号を除く前記所定数の識別番号から、前記２つ以上のセルに共通する識別番号である第２の識別番号を前記端末に払い出す。端末は、通信制御部を備える。通信制御部は、前記基地局から払い出される前記第１の識別番号又は前記第２の識別番号を用いて、前記第１の通信又は前記第２の通信を行う。
【発明の効果】
【０００９】
本願の開示する通信システムの一つの態様によれば、ＣＡの実行時に端末に払い出されるべきＣ−ＲＮＴＩ番号の枯渇を回避することができるという効果を奏する。
【図面の簡単な説明】
【００１０】
【図１】図１は、実施例１の通信システムの一例を示す図である。
【図２】図２は、実施例１の前提となるＣ番号払出方法の説明を行うための図である。
【図３】図３は、実施例１のＣ番号払出方法の説明を行うための図である。
【図４】図４は、実施例１の非ＣＡ通信の実行時における非ＣＡ用Ｃ番号の払い出しの一例を示す図である。
【図５】図５は、実施例１のＣＡ通信の実行時におけるＣＡ用Ｃ番号の払い出しの一例を示す図である。
【図６】図６は、実施例１の基地局の構成例を示す機能ブロック図である。
【図７】図７は、非ＣＡ用Ｃ番号群を記憶するＣ番号記憶部の一例を示す図である。
【図８】図８は、ＣＡ用Ｃ番号群を記憶するＣ番号記憶部の一例を示す図である。
【図９】図９は、実施例１の端末の構成例を示す機能ブロック図である。
【図１０】図１０は、実施例１の基地局及び端末の処理動作の一例を示すシーケンス図である。
【図１１】図１１は、実施例２のＣ番号払出方法の説明を行うための図である。
【図１２】図１２は、実施例２の基地局の構成例を示す機能ブロック図である。
【図１３】図１３は、実施例２の基地局及び端末の処理動作の一例を示すシーケンス図である。
【図１４】図１４は、実施例３のＣ番号払出方法の説明を行うための図である。
【図１５】図１５は、実施例３の基地局の構成例を示す機能ブロック図である。
【図１６】図１６は、実施例３のＣ番号記憶部の一例を示す図である。
【図１７】図１７は、実施例３の基地局及び端末の処理動作の一例を示すシーケンス図である。
【図１８】図１８は、実施例３の変形例のＣ番号払出方法の説明を行うための図である。
【図１９】図１９は、実施例１の変形例のＣ番号払出方法の説明を行うための図である。
【図２０】図２０は、基地局のハードウェア構成を示す図である。
【図２１】図２１は、端末のハードウェア構成例を示す図である。
【発明を実施するための形態】
【００１１】
以下に、本願の開示する通信システム及び基地局の実施例を図面に基づいて詳細に説明する。なお、この実施例により開示技術が限定されるものではない。
【実施例１】
【００１２】
図１は、実施例１の通信システムの一例を示す図である。なお、以下では、特に断りのない限り、３ＧＰＰの通信規格であるＬＴＥ及びＬＴＥ−Ａｄｖａｎｃｅｄを採用する通信システムに従って、実施例１の通信システムのシステム構成を説明する。しかしながら、本願の開示する通信システムは、ＬＴＥ及びＬＴＥ−Ａｄｖａｎｃｅｄを採用する通信システム以外の他の通信システムに対しても適用可能である。
【００１３】
図１に示すように、通信システム１は、基地局１０と、端末３０とを有する。端末３０は、基地局１０の全セルのうちいずれか一つのセルに所属する場合には、一つのセルを用いた通信を行う。一方で、端末３０は、基地局１０の全セルのうち２つ以上のセルを同時に用いた通信を行う。ここで、ＬＴＥ−Ａｄｖａｎｃｅｄでは、２つ以上のセルを同時に用いた通信は、「キャリアアグリゲーション（Carrier  Aggregation：ＣＡ）」と呼ばれる。したがって、以下では、２つ以上のセルを同時に用いた通信を「ＣＡ通信」と呼び、一つのセルを用いた通信を「非ＣＡ通信」と呼ぶ。非ＣＡ通信及びＣＡ通信は、それぞれ、第１の通信及び第２の通信の一例である。また、「セル（Ｃｅｌｌ）」とは、１つの周波数帯域を利用して通信を行う通信エリアである。図１では、一例として、３つのセルが示されている。
【００１４】
基地局１０は、端末３０との間で通信が行われる場合に、端末３０を識別するための識別番号である所定数のＣ−ＲＮＴＩ番号（以下適宜「Ｃ番号」という）から、いずれか一つのＣ番号を端末３０に払い出す。３ＧＰＰにより定義されているＣ番号の範囲は、１〜６５５３５の範囲である。
【００１５】
以下では、実施例１のＣ番号払出方法の説明を行う前に、その前提となるＣ番号払出方法の説明を行う。図２は、実施例１の前提となるＣ番号払出方法の説明を行うための図である。
【００１６】
実施例１の前提となるＣ番号払出方法では、払い出されるべきＣ番号が基地局の全セルの各々において重複しないように、１〜６５５３５のＣ番号がセル毎に分割され、分割により得られるＣ番号の範囲がセル間でずらされている。つまり、実施例１の前提となるＣ番号払出方法では、各セルに対応するＣ番号の範囲が固定される。図２の例では、１〜６５５３５のＣ番号がセルの総数ｎ（ｎは２以上の整数）で分割され、ｎ個のＣ番号の範囲がセル間でずらされることによって、セル＃１〜セル＃ｎの各々に対応するＣ番号の範囲が固定される。そして、実施例１の前提となるＣ番号払出方法では、基地局は、セル毎に固定されたＣ番号の範囲から任意のＣ番号を端末に払い出す。これにより、非ＣＡ通信が行われた後にＣＡ通信が行われる場合であっても、端末に払い出されるべきＣ番号どうしの競合が回避される。
【００１７】
なお、実施例１の前提となるＣ番号払出方法においてセル毎にＣ番号を払い出す理由を以下に述べる。すなわち、標準化でＭｅｓｓａｇｅ１の受信後にＭｅｓｓａｇｅ２の応答を返す時間が決められており、装置内の処理性能の観点からＢＢ機能部にＣ番号記憶部を置く場合があるためである。
【００１８】
図２に示すＣ番号払出方法の問題点を説明する。図２に示すＣ番号払出方法では、１セル当たりのＣ番号の範囲が固定されるため、基地局の全セルの数に依っては、１セル当たりのＣ番号が不足する恐れがある。結果として、ＣＡ通信が実行される場合に、端末に払い出されるべきＣ番号が枯渇する恐れがある。
【００１９】
これに対して、実施例１のＣ番号払出方法を説明する。図３は、実施例１のＣ番号払出方法の説明を行うための図である。実施例１のＣ番号払出方法では、所定数のＣ番号は、基地局１０の全セルの各々に固有のＣ番号を含む非ＣＡ用Ｃ番号群と、基地局１０の全セルのうち２つ以上のセルに共通するＣ番号を含むＣＡ用Ｃ番号群とに予め区分される。図３の例では、１〜６５５３５のＣ番号が、１〜Ｎ（Ｎは２以上の整数）のＣ番号を含む非ＣＡ用Ｃ番号群と、Ｎ＋１〜６５５３５のＣ番号を含むＣＡ用Ｃ番号群とに予め区分される。なお、Ｎの値は、実際の運用に応じて適宜調整可能である。
【００２０】
そして、実施例１のＣ番号払出方法では、基地局１０は、端末３０との間で非ＣＡ通信が行われる場合に、所定数のＣ番号から、全セルの各々に固有のＣ番号（以下「非ＣＡ用Ｃ番号」という）を端末３０に払い出す。非ＣＡ用Ｃ番号は、全セルの各々に固有であれば良い。したがって、あるセルに対応する非ＣＡ用Ｃ番号と、他のセルに対応する非ＣＡ用Ｃ番号とは、同一であっても、異なっても良い。図３の例では、基地局１０は、非ＣＡ通信が行われる場合に、所定数のＣ番号のうち非ＣＡ用Ｃ番号群から、非ＣＡ用Ｃ番号を端末３０に払い出す。
【００２１】
一方で、基地局１０は、端末３０との間でＣＡ通信が行われる場合に、非ＣＡ用Ｃ番号を除く所定数のＣ番号から、２つ以上のセルに共通するＣ番号（以下「ＣＡ用Ｃ番号」という）を端末３０に払い出す。ＣＡ用Ｃ番号は、２つ以上のセルに共通するＣ番号であるので、あるセルに対応するＣＡ用Ｃ番号と、他のセルに対応する非ＣＡ用Ｃ番号とは、同一である。図３の例では、基地局１０は、ＣＡ通信が行われる場合に、所定数のＣ番号のうちＣＡ用Ｃ番号群から、ＣＡ用Ｃ番号を端末３０に払い出す。
【００２２】
このように、実施例１のＣ番号払出方法では、基地局１０は、ＣＡ通信が行われる場合に、非ＣＡ用Ｃ番号を除く所定数のＣ番号から、ＣＡ用Ｃ番号を端末３０に払い出す。このため、実施例１によれば、１セル当たりのＣ番号の範囲が固定される前提技術と比較して、所定数のＣ番号を非ＣＡ用Ｃ番号とＣＡ用Ｃ番号とに動的に区別することができ、１セル当たりのＣ番号の不足を効率よく回避することができる。結果として、実施例１によれば、ＣＡ通信が実行される場合に、端末３０に払い出されるべきＣ番号の枯渇を回避することが可能となる。
【００２３】
図４は、実施例１の非ＣＡ通信の実行時における非ＣＡ用Ｃ番号の払い出しの一例を示す図であり、図５は、実施例１のＣＡ通信の実行時におけるＣＡ用Ｃ番号の払い出しの一例を示す図である。図４及び図５において、「基地局」は、図１に示した基地局１０に対応し、「端末」は、図１に示した端末３０に対応するものとする。
【００２４】
基地局は、端末との間で非ＣＡ通信が行われる場合には、図４に示すように、１〜ＮのＣ番号を含む非ＣＡ用Ｃ番号群から、非ＣＡ用Ｃ番号を端末に払い出す。例えば、セル＃１〜セル＃３の各々において１００台の端末が非ＣＡ通信を行う場合を想定する。この場合、セル＃１〜セル＃３の各々において基地局から端末に払い出されるべきＣ番号は、１００個である。言い換えると、非ＣＡ用Ｃ番号群から非ＣＡ用Ｃ番号として端末に払い出されるＣ番号は、１００個（Ｎ＝１００）で足りる。
【００２５】
これに対して、基地局は、端末との間でＣＡ通信が行われる場合には、図５に示すように、Ｎ＋１〜６５５３５のＣ番号を含むＣＡ用Ｃ番号群から、ＣＡ用Ｃ番号を端末に払い出す。例えば、セル＃１〜セル＃３を同時に用いて１００台の端末がＣＡ通信を行う場合を想定する。この場合、セル＃１〜セル＃３に共通するＣ番号であって、基地局から端末に払い出されるべきＣ番号は、１００個である。言い換えると、ＣＡ用Ｃ番号群からＣＡ用番号として端末に払い出されるＣ番号は、１００個（Ｎ＝６５４３５）で足りる。
【００２６】
次に、実施例１の基地局１０の構成例を説明する。図６は、実施例１の基地局の構成例を示す機能ブロック図である。図６に示すように、基地局１０は、無線ＩＦ（InterFace）部１１と、Ｃ番号記憶部１２と、第１の払出部１３と、Ｃ番号記憶部１４と、第２の払出部１５と、ＲＥ（Radio  Equipment）部１６とを有する。ここで、無線ＩＦ部１１と、Ｃ番号記憶部１２と、第１の払出部１３とを１つのベースバンド（BaseBand：ＢＢ）部とし、Ｃ番号記憶部１４と、第２の払出部１５とを呼処理制御（call processing CoNTroller：ＣＮＴ）部としてもよい。
【００２７】
なお、ＣＡの態様によっては、ＢＢ部の一部又は全てが複数備えられてもよい。図６の例では、ｎ個のＢＢ部として、ＢＢ部＃１〜ＢＢ部＃ｎが備えられている。また、例えば、少なくとも２つの異なるセルを同時に用いてＣＡ通信が行われる場合には、同時に使用されるセルに対応する複数のＢＢ部が備えられてもよい。また、基地局１０が、図６に示すように、ＢＢ部を複数セット有し、かつ、各セットが各セルに対応していてもよい。
【００２８】
無線ＩＦ部１１は、アンテナを介して受信した信号に対して所定の無線受信処理を施して、第１の払出部１３及び第２の払出部１５へ出力する。例えば、無線ＩＦ部１１は、非ＣＡ通信が行われる場合に、ランダムアクセス手順により受信される各種のＭｅｓｓａｇｅに所定の無線受信処理を施して、第１の払出部１３及び第２の払出部１５へ出力する。ランダムアクセス手順により受信される各種のＭｅｓｓａｇｅには、例えば、端末３０から基地局１０へＣ番号を要求するためのＣ番号要求を含むＭｅｓｓａｇｅ１が含まれる。
【００２９】
また、無線ＩＦ部１１は、第１の払出部１３及び第２の払出部１５から受け取る信号に対して所定の無線送信処理を施して、アンテナを介して送信する。例えば、無線ＩＦ部１１は、非ＣＡ通信が行われる場合に、ランダムアクセス手順により送信される各種のＭｅｓｓａｇｅに所定の無線送信処理を施して、アンテナを介して送信する。ランダムアクセス手順により送信される各種のＭｅｓｓａｇｅには、例えば、端末３０からの要求に応じて基地局１０から払い出されるＣ番号を含むＭｅｓｓａｇｅ２が含まれる。
【００３０】
Ｃ番号記憶部１２は、１〜Ｎの非ＣＡ用Ｃ番号を含む非ＣＡ用Ｃ番号群を記憶する。図７は、非ＣＡ用Ｃ番号群を記憶するＣ番号記憶部の一例を示す図である。図７に示すように、Ｃ番号記憶部１２は、「Ｃ−ＲＮＴＩ番号」と、「払い出しステータス」とを対応付けて記憶する。
【００３１】
「Ｃ−ＲＮＴＩ番号」は、非ＣＡ用Ｃ番号群に含まれる１〜Ｎの非ＣＡ用Ｃ番号を示す。「払い出しステータス」は、各非ＣＡ用Ｃ番号が払い出し中であるか否かを示す。「払い出しステータス」の「使用中」は、非ＣＡ用Ｃ番号が払い出し中であることを示し、「空」は、非ＣＡ用Ｃ番号が未払出しであることを示し、「使用禁止」は、非ＣＡ用Ｃ番号の払い出しが禁止されていることを示す。なお、図７に示す例は、Ｎ＝０２３４０１である場合の例である。
【００３２】
第１の払出部１３は、非ＣＡ通信が行われる場合に、Ｃ番号記憶部１２に記憶された非ＣＡ用Ｃ番号群から、任意の非ＣＡ用Ｃ番号を選択し、選択した非ＣＡ用Ｃ番号を無線ＩＦ部１１を介して端末３０に払い出す。
【００３３】
Ｃ番号記憶部１４は、Ｎ＋１〜６５５３５のＣＡ用Ｃ番号を含むＣＡ用Ｃ番号群を記憶する。図８は、ＣＡ用Ｃ番号群を記憶するＣ番号記憶部の一例を示す図である。図８に示すように、「Ｃ−ＲＮＴＩ番号」と、「払い出しステータス」とを対応付けて記憶する。
【００３４】
「Ｃ−ＲＮＴＩ番号」は、ＣＡ用Ｃ番号群に含まれるＮ＋１〜６５５３５のＣＡ用Ｃ番号を示す。「払い出しステータス」は、各ＣＡ用Ｃ番号が払い出し中であるか否かを示す。「払い出しステータス」の「使用中」は、ＣＡ用Ｃ番号が払い出し中であることを示し、「空」は、ＣＡ用Ｃ番号が未払い出しであることを示し、「使用禁止」は、ＣＡ用Ｃ番号の払い出しが禁止されていることを示す。なお、図８に示す例は、Ｎ＝０２３４０１である場合の例である。
【００３５】
第２の払出部１５は、ＣＡ通信が行われる場合に、Ｃ番号記憶部１４に記憶されたＣＡ用Ｃ番号群から、任意のＣＡ用Ｃ番号を選択し、選択したＣＡ用Ｃ番号を無線ＩＦ部１１を介して端末３０に払い出す。
【００３６】
ＲＥ部１６は、無線信号の増幅、変調、復調及びフィルタリング等の所定の無線処理を行う。
【００３７】
次に、実施例１の端末３０の構成例を説明する。図９は、実施例１の端末の構成例を示す機能ブロック図である。図９に示すように、端末３０は、無線ＩＦ部３１と、通信制御部３２とを有する。
【００３８】
無線ＩＦ部３１は、アンテナを介して受信した信号に対して所定の無線受信処理を施して、通信制御部３２へ出力する。例えば、無線ＩＦ部３１は、非ＣＡ通信が行われる場合に、ランダムアクセス手順により受信される各種のＭｅｓｓａｇｅに所定の無線受信処理を施して、通信制御部３２へ出力する。ランダムアクセス手順により受信される各種のＭｅｓｓａｇｅには、例えば、端末３０からの要求に応じて基地局１０から払い出されるＣ番号を含むＭｅｓｓａｇｅ２が含まれる。
【００３９】
また、無線ＩＦ部３１は、通信制御部３２から受け取る信号に対して所定の無線送信処理を施して、アンテナを介して送信する。例えば、無線ＩＦ部３１は、非ＣＡ通信が行われる場合に、ランダムアクセス手順により送信される各種のＭｅｓｓａｇｅに所定の無線受信処理を施して、アンテナを介して送信する。ランダムアクセス手順により送信される各種のＭｅｓｓａｇｅには、例えば、端末３０から基地局１０へＣ番号を要求するためのＣ番号要求を含むＭｅｓｓａｇｅ１が含まれる。
【００４０】
通信制御部３２は、基地局１０から払い出される非ＣＡ用Ｃ番号又はＣＡ用Ｃ番号を用いて、非ＣＡ通信又はＣＡ通信を行う。また、通信制御部３２は、基地局１０との間で非ＣＡ通信又はＣＡ通信を行うための各種のＭｅｓｓａｇｅを無線ＩＦ部３１を介して送受信する。
【００４１】
次に、実施例１の基地局１０及び端末３０の処理動作を説明する。図１０は、実施例１の基地局及び端末の処理動作の一例を示すシーケンス図である。図１０において、「端末」は、端末３０に対応し、「基地局」は、基地局１０に対応するものとする。
【００４２】
図１０に示すように、端末は、基地局の全セルのうちいずれか一つのセルに所属すると、非ＣＡ通信を行うために、基地局へＣ番号を要求するためのＣ番号要求を基地局へ送信する（ステップＳ１０１）。このＣ番号要求の送信には、例えば、ＲＡＣＨ（Random  Access  CHannel）  Ｐｒｅａｍｂｌｅを含むＭｅｓｓａｇｅ１が用いられる。
【００４３】
基地局のＢＢ部は、端末からのＣ番号要求を受信すると、Ｃ番号記憶部１２に記憶された非ＣＡ用Ｃ番号群から、任意の非ＣＡ用Ｃ番号を選択する（ステップＳ１０２）。
【００４４】
そして、基地局のＢＢ部は、選択した非ＣＡ用Ｃ番号を端末へ払い出す（ステップＳ１０３）。この非ＣＡ用Ｃ番号の払い出しには、例えば、Ｍｅｓｓａｇｅ１に対する応答（Random  Access  Response）を含むＭｅｓｓａｇｅ２が用いられる。
【００４５】
続いて、端末は、ランダムアクセス手順における他のＭｅｓｓａｇｅ等を基地局との間で送受信することにより、非ＣＡ用Ｃ番号を用いて、非ＣＡ通信を行う（ステップＳ１０４−Ｓ１０９）。
【００４６】
また、基地局のＣＮＴ部は、ＣＡ通信を行うためのトリガが発生した場合に（ステップＳ１１０）、Ｃ番号記憶部１４に記憶されたＣＡ用Ｃ番号群から、任意のＣＡ用Ｃ番号を選択する（ステップＳ１１１）。ＣＡ通信を行うためのトリガは、例えば、動画の視聴等のイベントを含み、通信システムの設計者等により適宜設定される。
【００４７】
そして、基地局のＣＮＴ部は、選択したＣＡ用Ｃ番号をＢＢ部を介して端末へ払い出す（ステップＳ１１２−Ｓ１１３）。このＣＡ用Ｃ番号の払い出しには、例えば、通信開始時に送受信されるＲＲＣ（Radio  Resource  Control）  Ｒｅｃｏｎｆｉｇｕｒａｔｉｏｎが用いられる。
【００４８】
端末は、ＲＲＣ  Ｒｅｃｏｎｆｉｇｕｒａｔｉｏｎに対する応答としてＲＲＣ  Ｒｅｃｏｆｉｇｕｒａｔｉｏｎ  Ｃｏｍｐｌｅｔｅを基地局へ返信することにより、ＣＡ用Ｃ番号を用いて、ＣＡ通信を行う（ステップＳ１１４−Ｓ１１５）。
【００４９】
上述したように、実施例１では、基地局１０が、非ＣＡ通信が行われる場合に、所定数のＣ番号から全セルの各々に固有の非ＣＡ用Ｃ番号を払い出し、ＣＡ通信が行われる場合に、非ＣＡ用Ｃ番号を除くＣ番号から２つ以上のセルに共通するＣＡ用Ｃ番号を払い出す。そして、端末３０は、基地局１０から払い出された非ＣＡ用Ｃ番号又はＣＡ用Ｃ番号を用いて、非ＣＡ通信又はＣＡ通信を行う。
【００５０】
このため、実施例１によれば、１セル当たりのＣ番号の範囲が固定される前提技術と比較して、所定数のＣ番号を非ＣＡ用番号とＣＡ用番号とに動的に区別することができ、１セル当たりのＣ番号の不足を効率よく回避することができる。結果として、実施例１によれば、ＣＡ通信が実行される場合に、端末３０に払い出されるべきＣ番号の枯渇を回避することが可能となる。
【００５１】
また、実施例１では、所定数のＣ番号が非ＣＡ用Ｃ番号群とＣＡ用Ｃ番号群とに予め区分され、基地局１０は、非ＣＡ通信又はＣＡ通信が行われる場合に、非ＣＡ用Ｃ番号群又はＣＡ用Ｃ番号群から非ＣＡ用Ｃ番号又はＣＡ用Ｃ番号を端末３０へ払い出す。
【００５２】
このため、実施例１によれば、端末３０に払い出されるべき非ＣＡ用Ｃ番号の数とＣＡ用Ｃ番号の数とを実際の運用に合わせて適宜調整することができ、端末３０に払い出されるべきＣ番号の枯渇を効率的に回避することが可能となる。
【実施例２】
【００５３】
実施例１では、基地局が、所定数のＣ番号が予め区分されて得られる非ＣＡ用Ｃ番号群及びＣＡ用Ｃ番号群からそれぞれ非ＣＡ用Ｃ番号及びＣＡ用Ｃ番号を端末に払い出す例を示した。これに対して、実施例２では、基地局が、所定数のＣ番号から昇順で非ＣＡ用Ｃ番号を端末に払い出し、非ＣＡ用Ｃ番号として払い出されていない所定数のＣ番号から降順でＣＡ用Ｃ番号を払い出す。なお、以下では、実施例１との相違点を中心に説明し、実施例１の動作と共通する部分については同一の符号を付してその説明を省略する。また、以下では、実施例１の基地局１０を基地局２１０と呼ぶことがある。
【００５４】
図１１は、実施例２のＣ番号払出方法の説明を行うための図である。実施例２のＣ番号払出方法では、所定数のＣ番号は、基地局２１０の全セルの各々に固有のＣ番号を含む非ＣＡ用Ｃ番号群と、基地局２１０の全セルのうち２つ以上のセルに共通するＣ番号を含むＣＡ用Ｃ番号群とに動的に区分される。図１１の例では、１〜６５５３５のＣ番号が、１〜Ｎ（Ｎは２以上の整数）のＣ番号を含む非ＣＡ用Ｃ番号群と、Ｎ＋１〜６５５３５のＣ番号を含むＣＡ用Ｃ番号群とに動的に区分される。なお、Ｎの値は、各セルに対応する非ＣＡ用Ｃ番号のうち最大の非ＣＡ用Ｃ番号として動的に設定される。
【００５５】
そして、実施例２のＣ番号払出方法では、基地局２１０は、端末３０との間で非ＣＡ通信が行われる場合に、所定数のＣ番号から、昇順で非ＣＡ用Ｃ番号を端末３０に払い出す。非ＣＡ用Ｃ番号は、全セルの各々に固有であれば良い。したがって、あるセルに対応する非ＣＡ用Ｃ番号と、他のセルに対応する非ＣＡ用Ｃ番号とは、同一であっても、異なっても良い。図１１の例では、基地局２１０は、非ＣＡ通信が行われる場合に、所定数のＣ番号から、１から６５５３５に向かう順序で非ＣＡ用Ｃ番号を端末３０に払い出す。
【００５６】
一方で、基地局２１０は、端末３０との間でＣＡ通信が行われる場合に、所定数のＣ番号のうち非ＣＡ用Ｃ番号として払い出されていないＣ番号から、降順でＣＡ用Ｃ番号を端末３０に払い出す。ＣＡ用Ｃ番号は、２つ以上のセルに共通するＣ番号であるので、あるセルに対応するＣＡ用Ｃ番号と、他のセルに対応するＣＡ用Ｃ番号とは、同一である。図１１の例では、基地局２１０は、ＣＡ通信が行われる場合に、所定数のＣ番号のうち非ＣＡ用Ｃ番号として払い出されていないＣ番号から、６５５３５から１に向かう順序でＣＡ用Ｃ番号を端末３０に払い出す。
【００５７】
このように、実施例２のＣ番号払出方法では、基地局２１０は、ＣＡ通信が行われる場合に、所定数のＣ番号のうち非ＣＡ用Ｃ番号として払い出されていないＣ番号から、降順でＣＡ用Ｃ番号を端末３０へ払い出す。このため、実施例２によれば、１セル当たりのＣ番号の範囲が固定される前提技術と比較して、所定数のＣ番号を非ＣＡ用Ｃ番号とＣＡ用Ｃ番号とに動的に区別することができ、１セル当たりのＣ番号の不足を効率よく回避することができる。結果として、実施例２によれば、ＣＡ通信が実行される場合に、端末３０に払い出されるべきＣ番号の枯渇を回避することが可能となる。さらに、実施例２によれば、端末３０に払い出されるべき非ＣＡ用Ｃ番号の数とＣＡ用Ｃ番号の数とをＣＡ通信を行う端末３０の数に追従して適宜調整することができ、端末３０に払い出されるべきＣ番号の枯渇を効率的に回避することが可能となる。
【００５８】
次に、実施例２の基地局２１０の構成例を説明する。図１２は、実施例２の基地局の構成例を示す機能ブロック図である。図１２に示すように、基地局２１０は、無線ＩＦ部１１と、Ｃ番号記憶部１２と、第１の払出部２１３と、Ｃ番号記憶部１４と、第２の払出部２１５と、ＲＥ部１６とを有する。ここで、無線ＩＦ部１１と、Ｃ番号記憶部１２と、第１の払出部２１３とを１つのＢＢ部とし、Ｃ番号記憶部１４と、第２の払出部２１５とをＣＮＴ部としてもよい。
【００５９】
なお、ＣＡの態様によっては、ＢＢ部の一部又は全てが複数備えられてもよい。図１２の例では、ｎ個のＢＢ部として、ＢＢ部＃１〜ＢＢ部＃ｎが備えられている。また、例えば、少なくとも２つの異なるセルを同時に用いてＣＡ通信が行われる場合には、同時に使用されるセルに対応する複数のＢＢ部が備えられてもよい。また、基地局１０が、図１２に示すように、ＢＢ部を複数セット有し、かつ、各セットが各セルに対応していてもよい。
【００６０】
Ｃ番号記憶部１２及びＣ番号記憶部１４は、１〜６５５３５のＣ番号を記憶する。
【００６１】
第１の払出部２１３は、非ＣＡ通信が行われる場合に、Ｃ番号記憶部１２に記憶された所定数のＣ番号から、昇順で非ＣＡ用Ｃ番号を選択し、選択した非ＣＡ用Ｃ番号を無線ＩＦ部１１を介して端末３０に払い出す。
【００６２】
第２の払出部２１５は、ＣＡ通信が行われる場合に、Ｃ番号記憶部１４に記憶された所定数のＣ番号のうち第１の払出部２１３により非ＣＡ用Ｃ番号として払い出されていないＣ番号から、降順でＣＡ用Ｃ番号を選択する。そして、第２の払出部２１５は、選択したＣＡ用Ｃ番号を無線ＩＦ部１１を介して端末３０に払い出す。
【００６３】
また、第２の払出部２１５は、Ｃ番号記憶部１４に記憶された所定数のＣ番号のうち非ＣＡ用Ｃ番号として払い出されていない識別番号が存在しない場合に、ＣＡ用Ｃ番号の払い出しを中止する。なお、端末３０の通信制御部３２は、ＣＡ用Ｃ番号の払い出しが中止された場合には、非ＣＡ用Ｃ番号を用いて非ＣＡ通信を継続する。
【００６４】
次に、実施例２の基地局２１０及び端末３０の処理動作を説明する。図１３は、実施例２の基地局及び端末の処理動作の一例を示すシーケンス図である。図１３において、「端末」は、端末３０に対応し、「基地局」は、基地局２１０に対応するものとする。
【００６５】
図１３に示すように、端末は、基地局の全セルのうちいずれか一つのセルに所属すると、非ＣＡ通信を行うために、基地局へＣ番号を要求するためのＣ番号要求を基地局へ送信する（ステップＳ２０１）。このＣ番号要求の送信には、例えば、ＲＡＣＨ  Ｐｒｅａｍｂｌｅを含むＭｅｓｓａｇｅ１が用いられる。
【００６６】
基地局のＢＢ部は、端末からのＣ番号要求を受信すると、Ｃ番号記憶部１２に記憶された所定数のＣ番号から、昇順で非ＣＡ用Ｃ番号を選択する（ステップＳ２０２）。
【００６７】
そして、基地局のＢＢ部は、選択した非ＣＡ用Ｃ番号を端末へ払い出す（ステップＳ２０３）。この非ＣＡ用Ｃ番号の払い出しには、例えば、Ｍｅｓｓａｇｅ１に対する応答（Random  Access  Response）を含むＭｅｓｓａｇｅ２が用いられる。
【００６８】
続いて、端末は、ランダムアクセス手順における他のＭｅｓｓａｇｅ等を基地局との間で送受信することにより、非ＣＡ用Ｃ番号を用いて、非ＣＡ通信を行う（ステップＳ２０４−Ｓ２０９）。
【００６９】
また、基地局のＣＮＴ部は、ＣＡ通信を行うためのトリガが発生した場合に（ステップＳ２１０）、Ｃ番号記憶部１４に記憶された所定数のＣ番号のうち非ＣＡ用Ｃ番号として払い出されていないＣ番号から、降順でＣＡ用Ｃ番号を選択する（ステップＳ２１１）。ＣＡ通信を行うためのトリガは、例えば、動画の視聴等のイベントを含み、通信システムの設計者等により適宜設定される。
【００７０】
続いて、基地局のＣＮＴ部は、降順で選択したＣＡ用Ｃ番号の払い出しの許可を確認する払い出し確認をＢＢ部へ送信する（ステップＳ２１２）。ＢＢ部は、払い出し確認に対する応答である払い出し応答をＣＮＴ部へ返信する（ステップＳ２１３）。具体的には、ＢＢ部は、Ｃ番号記憶部１２を参照し、払い出し確認により払い出しの許可が求められているＣＡ用Ｃ番号が非ＣＡ用Ｃ番号として既に払い出されているか否かを判定する。ＢＢ部は、払い出し確認により払い出しの許可が求められているＣＡ用Ｃ番号が非ＣＡ用Ｃ番号として既に払い出されている場合には、ＣＡ用Ｃ番号の払い出しを許可しない旨を示すＮＧ応答を払い出し応答としてＣＮＴ部へ返信する。一方、ＢＢ部は、払い出し確認により払い出しの許可が求められているＣＡ用Ｃ番号が非ＣＡ用Ｃ番号として未だ払い出されていない場合には、ＣＡ用Ｃ番号の払い出しを許可する旨を示すＯＫ応答を払い出し応答としてＣＮＴ部へ返信する。
【００７１】
基地局のＣＮＴ部は、全てのＢＢ部から払い出し応答としてＯＫ応答を受信したか否かを判定する（ステップＳ２１４）。
【００７２】
基地局のＣＮＴ部は、少なくとも１つのＢＢ部から払い出し応答としてＮＧ応答を受信した場合には（ステップＳ２１４；Ｎｏ）、選択したＣＡ用Ｃ番号を払い出さない旨を決定する。そして、基地局のＣＮＴ部は、払い出さないと決定したＣＡ用Ｃ番号の返却をＯＫ応答を送信したＢＢ部へ通知する（ステップＳ２１５）。そして、ＢＢ部は、返却通知を受信すると、返却通知に対する応答である返却応答を返信する（ステップＳ２１６）。そして、ＢＢ部は、Ｃ番号記憶部１２を参照し、ＣＮＴ部から返却されたＣＡ用Ｃ番号を非ＣＡ用Ｃ番号として管理する。
【００７３】
基地局のＣＮＴ部は、ＣＡ用Ｃ番号の払い出しのリトライを実施する場合（ステップＳ２１７；Ｙｅｓ）、処理をステップＳ２１１に戻し、リトライを実施しない場合（ステップＳ２１７；Ｎｏ）、ＣＡ用Ｃ番号の払い出しを中止する（ステップＳ２１８）。ＣＡ用Ｃ番号の払い出しが中止された場合には、基地局と端末との間で非ＣＡ用通信が継続される（ステップＳ２１９）。
【００７４】
一方、基地局のＣＮＴ部は、全てのＢＢ部から払い出し応答としてＯＫ応答を受信した場合には（ステップＳ２１４；Ｙｅｓ）、選択したＣＡ用Ｃ番号をＢＢ部を介して端末へ払い出す（ステップＳ２２０−Ｓ２２１）。このＣＡ用Ｃ番号の払い出しには、例えば、通信開始時に送受信されるＲＲＣ  Ｒｅｃｏｎｆｉｇｕｒａｔｉｏｎが用いられる。
【００７５】
端末は、ＲＲＣ  Ｒｅｃｏｎｆｉｇｕｒａｔｉｏｎに対する応答としてＲＲＣ  Ｒｅｃｏｆｉｇｕｒａｔｉｏｎ  Ｃｏｍｐｌｅｔｅを基地局へ返信することにより、ＣＡ用Ｃ番号を用いて、ＣＡ通信を行う（ステップＳ２２２−Ｓ２２３）。
【００７６】
上述したように、実施例２では、基地局２１０は、ＣＡ通信が行われる場合に、所定数のＣ番号のうち非ＣＡ用Ｃ番号として払い出されていないＣ番号から、降順でＣＡ用Ｃ番号を端末３０へ払い出す。
【００７７】
このため、実施例２によれば、１セル当たりのＣ番号の範囲が固定される前提技術と比較して、所定数のＣ番号を非ＣＡ用Ｃ番号とＣＡ用Ｃ番号とに動的に区別することができ、１セル当たりのＣ番号の不足を効率よく回避することができる。結果として、実施例２によれば、ＣＡ通信が実行される場合に、端末３０に払い出されるべきＣ番号の枯渇を回避することが可能となる。さらに、実施例２によれば、端末３０に払い出されるべき非ＣＡ用Ｃ番号の数とＣＡ用Ｃ番号の数とをＣＡ通信を行う端末３０の数に追従して適宜調整することができ、端末３０に払い出されるべきＣ番号の枯渇を効率的に回避することが可能となる。
【００７８】
また、実施例２では、基地局２１０は、所定数のＣ番号のうち非ＣＡ用Ｃ番号として払い出されていないＣ番号が存在しない場合に、ＣＡ用Ｃ番号の払い出しを中止する。そして、端末３０は、ＣＡ用Ｃ番号の払い出しが中止された場合に、非ＣＡ用Ｃ番号を用いて非ＣＡ通信を継続する。
【００７９】
このため、実施例２によれば、ＣＡ用Ｃ番号の払い出しが中止された場合に、非ＣＡ用Ｃ番号を用いて非ＣＡ通信を適切に継続することができる。
【実施例３】
【００８０】
実施例１では、基地局が、所定数のＣ番号が予め区分されて得られる非ＣＡ用Ｃ番号群及びＣＡ用Ｃ番号群からそれぞれ非ＣＡ用Ｃ番号及びＣＡ用Ｃ番号を端末に払い出す例を示した。これに対して、実施例３では、基地局が、所定数のＣ番号が所定数のブロックに区分されて得られる複数のＣ番号ブロックを用いて非ＣＡ用Ｃ番号及びＣＡ用Ｃ番号を端末に払い出す。なお、以下では、実施例１との相違点を中心に説明し、実施例１の動作と共通する部分については同一の符号を付してその説明を省略する。また、以下では、実施例１の端末３０を基地局３１０と呼ぶことがある。
【００８１】
図１４は、実施例３のＣ番号払出方法の説明を行うための図である。実施例３のＣ番号払出方法では、所定数のＣ番号は、１〜Ｍ（Ｍは２以上の整数）のブロックに区分される。所定数のＣ番号が１〜Ｍのブロックに区分されて得られる複数のブロックの各々を、以下では「Ｃ番号ブロック」と呼ぶ。図１４の例では、１〜ＭのＣ番号ブロックが、非ＣＡ用Ｃ番号を含む非ＣＡ用Ｃ番号ブロックと、ＣＡ用Ｃ番号を含むＣＡ用Ｃ番号ブロックとに動的に区分される。なお、Ｍの値は、実際の運用に合わせて適宜調整される。
【００８２】
そして、実施例３のＣ番号払出方法では、基地局３１０は、端末３０との間で非ＣＡ通信が行われる場合に、複数のＣ番号ブロックから、昇順でＣ番号ブロックを選択し、選択したＣ番号ブロックから非ＣＡ用Ｃ番号を端末３０に払い出す。非ＣＡ用Ｃ番号は、全セルの各々に固有であれば良い。したがって、あるセルに対応する非ＣＡ用Ｃ番号と、他のセルに対応する非ＣＡ用Ｃ番号とは、同一であっても、異なっても良い。図１４の例では、基地局３１０は、非ＣＡ通信が行われる場合に、複数の非ＣＡ用Ｃ番号ブロックから、１からＭに向かう順序で非ＣＡ用Ｃ番号ブロックを選択し、選択した非ＣＡ用Ｃ番号ブロックから非ＣＡ用Ｃ番号を端末３０へ払い出す。
【００８３】
一方で、基地局３１０は、端末３０との間でＣＡ通信が行われる場合に、複数のＣ番号ブロックのうち未選択のＣ番号ブロックから、ＣＡ用Ｃ番号を端末３０に払い出す。ＣＡ用Ｃ番号は、２つ以上のセルに共通するＣ番号であるので、あるセルに対応するＣＡ用Ｃ番号と、他のセルに対応するＣＡ用Ｃ番号とは、同一である。図１４の例では、基地局３１０は、ＣＡ通信が行われる場合に、複数のＣＡ用Ｃ番号ブロックから、Ｍから１に向かう順序でＣＡ用Ｃ番号ブロックを選択し、選択したＣＡ用Ｃ番号ブロックからＣＡ用Ｃ番号を端末３０に払い出す。
【００８４】
このように、実施例３のＣ番号払出方法では、ＣＡ通信が行われる場合に、複数のＣ番号ブロックのうち非ＣＡ通信時に選択されていないＣ番号ブロックから、ＣＡ用Ｃ番号を端末３０に払い出す。このため、実施例３によれば、１セル当たりのＣ番号の範囲が固定される前提技術と比較して、所定数のＣ番号を非ＣＡ用Ｃ番号とＣＡ用Ｃ番号とに動的に区別することができ、１セル当たりのＣ番号の不足を効率よく回避することができる。結果として、実施例３によれば、ＣＡ通信が実行される場合に、端末３０に払い出されるべきＣ番号の枯渇を回避することが可能となる。さらに、実施例３によれば、非ＣＡ用Ｃ番号とＣＡ用Ｃ番号とをブロック単位で管理することが可能となり、端末３０に払い出されるべきＣ番号の枯渇を効率的に回避することが可能となる。
【００８５】
次に、実施例３の基地局３１０の構成例を説明する。図１５は、実施例３の基地局の構成例を示す機能ブロック図である。図１５に示すように、基地局３１０は、無線ＩＦ部１１と、Ｃ番号記憶部３１２と、第１の払出部３１３と、Ｃ番号記憶部３１４と、第２の払出部３１５と、ＲＥ部１６とを有する。ここで、無線ＩＦ部１１と、Ｃ番号記憶部３１２と、第１の払出部３１３とを１つのＢＢ部とし、Ｃ番号記憶部３１４と、第２の払出部３１５とをＣＮＴ部としてもよい。
【００８６】
なお、ＣＡの態様によっては、ＢＢ部の一部又は全てが複数備えられてもよい。図１５の例では、ｎ個のＢＢ部として、ＢＢ部＃１〜ＢＢ部＃ｎが備えられている。また、例えば、少なくとも２つの異なるセルを同時に用いてＣＡ通信が行われる場合には、同時に使用されるセルに対応する複数のＢＢ部が備えられてもよい。また、基地局１０が、図１５に示すように、ＢＢ部を複数セット有し、かつ、各セットが各セルに対応していてもよい。
【００８７】
Ｃ番号記憶部３１２は、複数の非ＣＡ用Ｃ番号ブロックの各々に対応付けて、該複数の非ＣＡ用Ｃ番号ブロックの各々に属する非ＣＡ用Ｃ番号を記憶する。図１６は、実施例３のＣ番号記憶部の一例を示す図である。図１６に示すように、Ｃ番号記憶部３１２は、「Ｃ−ＲＮＴＩ番号」と、「ブロック番号」と、「ブロック使用状態」と、「払い出しステータス」とを対応付けて記憶する。
【００８８】
「Ｃ−ＲＮＴＩ番号」は、非ＣＡ用Ｃ番号ブロックに属する非ＣＡ用Ｃ番号を示す。「ブロック番号」は、非ＣＡ用Ｃ番号ブロックの識別番号を示す。「ブロック使用状態」は、非ＣＡ用Ｃ番号ブロックが払い出し中であるか否かを示す。「ブロック使用状態」の「使用中」は、非ＣＡ用Ｃ番号ブロックが払い出し中であることを示し、「未使用」は、非ＣＡ用Ｃ番号ブロックが未払出しであることを示す。「払い出しステータス」は、非ＣＡ用Ｃ番号ブロックに属する非ＣＡ用Ｃ番号が払い出し中であるか否かを示す。「払い出しステータス」の「使用中」は、非ＣＡ用Ｃ番号が払い出し中であることを示し、「空」は、非ＣＡ用Ｃ番号が未払出しであることを示し、「使用禁止」は、Ｃ番号の払い出しが禁止されていることを示す。
【００８９】
第１の払出部３１３は、非ＣＡ通信が行われる場合に、Ｃ番号記憶部３１２に記憶された複数の非ＣＡ用Ｃ番号ブロックから、昇順で非ＣＡ用Ｃ番号ブロックを選択する。そして、第１の払出部３１３は、選択した非ＣＡ用Ｃ番号ブロックから非ＣＡ用Ｃ番号を選択し、選択した非ＣＡ用Ｃ番号を無線ＩＦ部１１を介して端末３０に払い出す。
【００９０】
また、第１の払出部３１３は、非ＣＡ用Ｃ番号を払い出した後に、Ｃ番号記憶部３１２に記憶されたＣ番号のうち非ＣＡ用Ｃ番号として払い出されていないＣ番号の合計数が閾値以下となった場合には、以下の処理を行う。すなわち、第１の払出部３１３は、Ｃ番号記憶部３１４に記憶された複数のＣＡ用Ｃ番号ブロックのうち未使用のＣ番号ブロックの提供を第２の払出部３１５に要求する。
【００９１】
また、第１の払出部３１３は、Ｃ番号記憶部３１２の複数のＣ番号ブロックの中に未払出しのＣ番号のみを含むＣ番号ブロックが存在し、かつ、他のＣ番号ブロックの各々に属する未払出しのＣ番号の合計数が閾値以上となった場合には、以下の処理を行う。すなわち、第１の払出部３１３は、未払出しのＣ番号のみを含むＣ番号ブロックを第２の払出部３１５に返却する。
【００９２】
Ｃ番号記憶部３１４は、複数のＣＡ用Ｃ番号ブロックの各々に対応付けて、該複数のＣＡ用Ｃ番号ブロックの各々に属するＣＡ用Ｃ番号を記憶する。Ｃ番号記憶部３１４のデータ構造は、図１６に示したＣ番号記憶部３１２のデータ構造と同様である。
【００９３】
第２の払出部３１５は、ＣＡ通信が行われる場合に、Ｃ番号記憶部３１４に記憶された複数のＣＡ用Ｃ番号ブロックのうち第１の払出部３１３により選択されていないＣ番号ブロックから、ＣＡ用Ｃ番号を選択する。そして、第２の払出部３１５は、選択したＣＡ用Ｃ番号を無線ＩＦ部１１を介して端末３０に払い出す。
【００９４】
また、第２の払出部３１５は、第１の払出部３１３からの要求に応じて、未使用のＣ番号ブロックを第１の払出部３１３に提供する。
【００９５】
次に、実施例３の基地局３１０及び端末３０の処理動作を説明する。図１７は、実施例３の基地局及び端末の処理動作の一例を示すシーケンス図である。図１７において、「端末」は、端末３０に対応し、「基地局」は、基地局３１０に対応するものとする。
【００９６】
図１７に示すように、端末は、基地局の全セルのうちいずれか一つのセルに所属すると、非ＣＡ通信を行うために、基地局へＣ番号を要求するためのＣ番号要求を基地局へ送信する（ステップＳ３０１）。このＣ番号要求の送信には、例えば、ＲＡＣＨ  Ｐｒｅａｍｂｌｅを含むＭｅｓｓａｇｅ１が用いられる。
【００９７】
基地局のＢＢ部は、端末からのＣ番号要求を受信すると、Ｃ番号記憶部３１２に記憶された複数の非ＣＡ用Ｃ番号ブロックから、昇順で非ＣＡ用Ｃ番号ブロックを選択する（ステップＳ３０２）。
【００９８】
そして、基地局のＢＢ部は、選択した非ＣＡ用Ｃ番号ブロックから非ＣＡ用Ｃ番号を選択し、選択した非ＣＡ用Ｃ番号を端末へ払い出す（ステップＳ３０３）。この非ＣＡ用Ｃ番号の払い出しには、例えば、Ｍｅｓｓａｇｅ１に対する応答（Random  Access  Response）を含むＭｅｓｓａｇｅ２が用いられる。
【００９９】
続いて、基地局のＢＢ部は、Ｃ番号記憶部３１２に記憶された複数のＣ番号ブロックの各々に属するＣ番号のうち非ＣＡ用Ｃ番号として払い出されていないＣ番号の合計数が閾値Ｔａ以下であるか否かを判定する（ステップＳ３０４）。基地局のＢＢ部は、非ＣＡ用Ｃ番号として払い出されていないＣ番号の合計数が閾値Ｔａよりも大きい場合には（ステップＳ３０４；Ｎｏ）、処理をステップＳ３０８に移行する。
【０１００】
一方、基地局のＢＢ部は、非ＣＡ用Ｃ番号として払い出されていないＣ番号の合計数が閾値Ｔａ以下である場合には（ステップＳ３０４；Ｙｅｓ）、以下の処理を行う。すなわち、基地局のＢＢ部は、Ｃ番号記憶部３１４に記憶された複数のＣＡ用Ｃ番号ブロックのうち未使用のＣ番号ブロックの提供をＣＮＴ部に要求する（ステップＳ３０５）。
【０１０１】
基地局のＣＮＴ部は、未使用のＣ番号ブロックの提供の要求に応じて、未使用のＣ番号ブロックをＣ番号記憶部３１４から選択し（ステップＳ３０６）、選択した未使用のＣ番号ブロックをＢＢ部に提供する（ステップＳ３０７）。
【０１０２】
続いて、基地局のＢＢ部は、Ｃ番号記憶部３１２の複数のＣ番号ブロックの中に未払出しのＣ番号のみを含むＣ番号ブロックが存在し、かつ他のＣ番号ブロックの各々に属する未払出しのＣ番号の合計数が閾値Ｔｂ以上であるか否かを判定する（ステップＳ３０８）。基地局のＢＢ部は、未払出しのＣ番号のみを含むＣ番号ブロックが存在しない場合、又は他のＣ番号ブロックの各々に属する未払出しのＣ番号の合計数が閾値Ｔｂよりも小さい場合（ステップＳ３０８；Ｎｏ）、処理をステップＳ３１１へ移行する。
【０１０３】
一方、基地局のＢＢ部は、複数のＣ番号ブロックの中に未払出しのＣ番号のみを含むＣ番号ブロックが存在し、かつ他のＣ番号ブロックの各々に属する未払出しのＣ番号の合計数が閾値Ｔｂ以上である場合（ステップＳ３０８；Ｙｅｓ）、以下の処理を行う。すなわち、基地局のＢＢ部は、未払出しのＣ番号のみを含むＣ番号ブロックをＣＮＴ部に返却する（ステップＳ３０９）。
【０１０４】
基地局のＣＮＴ部は、未払出しのＣ番号のみを含むＣ番号ブロックの返却を受け付けると、返却に対する応答をＢＢ部へ送信する（ステップＳ３１０）。
【０１０５】
続いて、端末は、ランダムアクセス手順における他のＭｅｓｓａｇｅ等を基地局との間で送受信することにより、非ＣＡ用Ｃ番号を用いて、非ＣＡ通信を行う（ステップＳ３１１−Ｓ３１６）。
【０１０６】
また、基地局のＣＮＴ部は、ＣＡ通信を行うためのトリガが発生した場合に（ステップＳ３１７）、Ｃ番号記憶部３１４に記憶された複数のＣ番号ブロックのうちＢＢ部により選択されていないＣ番号ブロックから、ＣＡ用Ｃ番号を選択する（ステップＳ３１８）。ＣＡ通信を行うためのトリガは、例えば、動画の視聴等のイベントを含み、通信システムの設計者等により適宜設定される。
【０１０７】
そして、基地局のＣＮＴ部は、選択したＣＡ用Ｃ番号をＢＢ部を介して端末へ払い出す（ステップＳ３１９−Ｓ３２０）。このＣＡ用Ｃ番号の払い出しには、例えば、通信開始時に送受信されるＲＲＣ  Ｒｅｃｏｎｆｉｇｕｒａｔｉｏｎが用いられる。
【０１０８】
端末は、ＲＲＣ  Ｒｅｃｏｎｆｉｇｕｒａｔｉｏｎに対する応答としてＲＲＣ  Ｒｅｃｏｆｉｇｕｒａｔｉｏｎ  Ｃｏｍｐｌｅｔｅを基地局へ返信することにより、ＣＡ用Ｃ番号を用いて、ＣＡ通信を行う（ステップＳ３２１−Ｓ３２２）。
【０１０９】
上述したように、実施例３では、ＣＡ通信が行われる場合に、複数のＣ番号ブロックのうち非ＣＡ通信時に選択されていないＣ番号ブロックから、ＣＡ用Ｃ番号を端末３０に払い出す。このため、実施例３によれば、１セル当たりのＣ番号の範囲が固定される前提技術と比較して、所定数のＣ番号を非ＣＡ用Ｃ番号とＣＡ用Ｃ番号とに動的に区別することができ、１セル当たりのＣ番号の不足を効率よく回避することができる。結果として、実施例３によれば、ＣＡ通信が実行される場合に、端末３０に払い出されるべきＣ番号の枯渇を回避することが可能となる。さらに、実施例３によれば、非ＣＡ用Ｃ番号とＣＡ用Ｃ番号とをブロック単位で管理することが可能となり、端末３０に払い出されるべきＣ番号の枯渇を効率的に回避することが可能となる。
【実施例４】
【０１１０】
さて、これまで本願の開示する通信システム及び基地局の実施例について説明したが、上述した実施例以外にも種々の異なる形態にて実施されてもよいものである。そこで、以下では実施例４として実施例の変形例を説明する。
【０１１１】
上記実施例３では、非ＣＡ通信に用いられる非ＣＡ用Ｃ番号と、ＣＡ通信に用いられるＣＡ用Ｃ番号との不一致が許容される場合を説明したが、開示の技術はこれには限られない。例えば、非ＣＡ通信に用いられる非ＣＡ用Ｃ番号と、ＣＡ通信に用いられるＣＡ用Ｃ番号との不一致が許容されない旨が通信システムの管理者等により予め規定される場合も想定される。この場合には、以下のような処理が行われてもよい。
【０１１２】
図１８は、実施例３の変形例のＣ番号払出方法の説明を行うための図である。基地局３１０の第１の払出部３１３は、非ＣＡ通信が行われる場合に、Ｃ番号記憶部３１２の複数のＣ番号ブロックから、非ＣＡ通信に用いられる一つのセルと、他のセルとの間で異なるＣ番号ブロックを選択する。図１８の例では、第１の払出部３１３によって選択されるＣ番号ブロックが黒塗りの矩形で示されている。そして、第１の払出部３１３は、選択したＣ番号ブロックから非ＣＡ用Ｃ番号を端末３０に払い出す。第２の払出部３１５は、ＣＡ通信が行われる場合に、ＣＡ用Ｃ番号の払い出しを中止する。端末３０の通信制御部３２は、ＣＡ通信を行う場合に、非ＣＡ用Ｃ番号をＣＡ用Ｃ番号として継続的に用いて、ＣＡ通信を行う。
【０１１３】
また、上記実施例１〜３では、基地局が、ＣＡ通信が行われる場合に、全セルのうち２つ以上のセルに共通するＣ番号であるＣＡ用Ｃ番号を端末に払い出す例を説明したが、開示の技術はこれには限られない。例えば、基地局の全セルが、ＣＡ通信に用いられる２つ以上のセルが属する複数のグループに予め区分される場合も想定される。例えば、地理的にセルどうしが離れている場合や、建物等の外的要因によりセル間の通信が困難である場合に、基地局の全セルが複数のグループに予め区分される。この場合には、以下のような処理が行われてもよい。
【０１１４】
図１９は、実施例１の変形例のＣ番号払出方法の説明を行うための図である。基地局１０の第２の払出部１５は、ＣＡ通信が行われる場合に、非ＣＡ用Ｃ番号を除く所定数のＣ番号から、複数のグループの各々に属する２つ以上のセルに共通するＣＡ用Ｃ番号を端末３０に払い出す。図１９の例では、ＣＡ通信に用いられる２つ以上のセルが属する複数のグループとして、グループ＃１〜＃ｎが示されている。この例では、第２の払出部１５は、グループ＃１に属するセル＃１，＃２に共通するＣＡ用Ｃ番号を端末３０に払い出す。また、第２の払出部１５は、グループ＃２に属するセル＃３〜＃５に共通するＣＡ用Ｃ番号を端末３０に払い出す。また、第２の払出部１５は、グループ＃ｎに属するセル＃６〜＃ｎに共通するＣＡ用Ｃ番号を端末３０に払い出す。
【０１１５】
（ハードウェア構成）
実施例１〜３の端末及び基地局は、次のようなハードウェア構成により実現することができる。
【０１１６】
図２０は、基地局のハードウェア構成を示す図である。図２０において基地局１０００は、ＬＳＩ１００１と、プロセッサ１００２と、メモリ１００３，１００４と、Ｉ／Ｆ（Ｉｎｔｅｒ／Ｆａｃｅ）１００５とを有する。プロセッサ１００２は、ＬＳＩ１００１、メモリ１００４、及びＩ／Ｆ１００５とバスを介して接続されている。また、ＬＳＩ１００１は、メモリ１００３と接続されている。
【０１１７】
ＬＳＩ１００１は、基地局１０００における送受信に関わる処理を行う。すなわち、ＬＳＩ１００１は、無線受信処理及び無線送信処理等を行う。また、プロセッサ１００２の一例としては、ＣＰＵ（Central  Processing  Unit）、ＤＳＰ（Digital  Signal  Processor）、ＦＰＧＡ（Field  Programmable  Gate  Array）等が挙げられる。また、メモリ１００３，１００４の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【０１１８】
そして、実施例１から実施例３の基地局で行われる各種処理機能は、不揮発性記憶媒体などの各種メモリに格納されたプログラムを基地局が備えるプロセッサで実行することによって実現してもよい。すなわち、ＢＢ部（つまり、第１の払出部１３及び無線ＩＦ部１１等）によって実行される各処理に対応するプログラムがメモリ１００３に記録され、各プログラムがＬＳＩ１００１で実行されてもよい。また、ＣＮＴ部（つまり、第２の払出部１５等）によって実行される各処理に対応するプログラムがメモリ１００４に記録され、各プログラムがプロセッサ１００２で実行されてもよい。
【０１１９】
図２１は、端末のハードウェア構成例を示す図である。図２１において端末３０００は、ＬＳＩ（Large  Scale  Integrated  circuit）３００１と、プロセッサ３００３と、メモリ３００２，３００４と、ＬＣＤ（Liquid  Crystal  Display）等の表示部３００５と、マイク３００６と、拡声器３００７とを有する。プロセッサ３００３は、ＬＳＩ３００１と、メモリ３００４と、表示部３００５と、マイク３００６と、拡声器３００７とバスを介して接続されている。また、ＬＳＩ３００１は、メモリ３００２と接続されている。
【０１２０】
ＬＳＩ３００１は、端末３０００における送受信に関わる処理を行う。すなわち、ＬＳＩ３００１は、無線受信処理及び無線送信処理等を行う。また、プロセッサ３００３の一例としては、ＣＰＵ、ＤＳＰ、ＦＰＧＡ等が挙げられる。また、メモリ３００２，３００４の一例としては、ＳＤＲＡＭ等のＲＡＭ、ＲＯＭ、フラッシュメモリ等が挙げられる。
【０１２１】
そして、実施例１から実施例３の端末で行われる各種処理機能は、不揮発性記憶媒体などの各種メモリに格納されたプログラムを端末が備えるプロセッサで実行することによって実現してもよい。すなわち、無線ＩＦ部３１によって実行される各処理に対応するプログラムがメモリ３００２に記録され、各プログラムがＬＳＩ３００１で実行されてもよい。また、通信制御部３２によって実行される各処理に対応するプログラムがメモリ３００４に記録され、各プログラムがプロセッサ３００３で実行されてもよい。
【符号の説明】
【０１２２】
１  通信システム
１０、２１０、３１０  基地局
１１  無線ＩＦ部
１２、３１２  Ｃ番号記憶部
１３、２１３、３１３  第１の払出部
１４、３１４  Ｃ番号記憶部
１５、２１５、３１５  第２の払出部
３０  端末
３１  無線ＩＦ部
３２  通信制御部
【図１】
2015233247.tif 000003
【図２】
2015233247.tif 000004
【図３】
2015233247.tif 000005
【図４】
2015233247.tif 000006
【図５】
2015233247.tif 000007
【図６】
2015233247.tif 000008
【図７】
2015233247.tif 000009
【図８】
2015233247.tif 000010
【図９】
2015233247.tif 000011
【図１０】
2015233247.tif 000012
【図１１】
2015233247.tif 000013
【図１２】
2015233247.tif 000014
【図１３】
2015233247.tif 000015
【図１４】
2015233247.tif 000016
【図１５】
2015233247.tif 000017
【図１６】
2015233247.tif 000018
【図１７】
2015233247.tif 000019
【図１８】
2015233247.tif 000020
【図１９】
2015233247.tif 000021
【図２０】
2015233247.tif 000022
【図２１】
2015233247.tif 000023